(57)【要約】【課題】バッグにおける身体との接触部の湿気を確実に外部に放出することができるようにする。【解決手段】バッグである。使用者の身体に接する部分の表面の少なくとも一部に、ダブルラッセル編地にて構成された凹凸部１３が形成されている。凹凸部１３のダブルラッセル編地は、細幅編物１４が間隔をおいて形成されたものである。細幅編物１４は、その長手方向に沿って太幅部１８と細幅部１９とを交互に複数有する。【選択図】図１
2018057518.tif 000002
【特許請求の範囲】
【請求項１】
身体に接する部分の表面の少なくとも一部に、ダブルラッセル編地にて構成された凹凸部が形成されており、
前記凹凸部のダブルラッセル編地は、細幅編物が間隔をおいて形成されたものであり、
前記細幅編物は、その長手方向に沿って太幅部と細幅部とを交互に複数有することを特徴とするバッグ。
【請求項２】
細幅編物は横断面が半円状であることを特徴とする請求項１記載のバッグ。
【請求項３】
背負い式であるとともに、背負われたときに凹凸部が背負った使用者の身長の方向に配列されるものであることを特徴とする請求項１または２記載のバッグ。
【請求項４】
背負い式であるとともに、背負われたときに凹凸部が背負った使用者の身長の方向と交差する方向に配列されるものであることを特徴とする請求項１または２記載のバッグ。
【請求項５】
背負い式であるとともに、肩紐に凹凸部が形成されていることを特徴とする請求項１または２記載のバッグ。
【発明の詳細な説明】
【技術分野】
【０００１】
本発明はバッグに関する。
【背景技術】
【０００２】
たとえば背負い式のバッグは、その表面が使用者の背中へ密接する。このために、蒸れが生じたり、同表面が汗で濡れたりするなどの問題がある。
【０００３】
この問題を解決するために特許文献１では、身体への接触部分が立体構造ネットで構成されたバッグが開示されている。
【先行技術文献】
【特許文献】
【０００４】
【特許文献１】特開２００４−１４８００６号公報
【発明の概要】
【発明が解決しようとする課題】
【０００５】
しかし、立体構造ネットは、空隙率がたとえば９０％以上と高いが、身体と接する部分において身体と生地との間にスペースを確保しにくく、このため湿気を移動させて放出させるための空気の流れを確保することが困難である。その結果、見た目で想像するほどの効果が得られていないのが実情である。
【０００６】
そこで本発明は、このような問題点を解決して、バッグにおける身体との接触部の湿気を確実に外部に放出することができるようにすることを目的とする。
【課題を解決するための手段】
【０００７】
上記目的を達成するため、本発明のバッグは、使用者の身体に接する部分の表面の少なくとも一部に、ダブルラッセル編地にて構成された凹凸部が形成されており、前記凹凸部のダブルラッセル編地は、細幅編物が間隔をおいて形成されたものであり、前記細幅編物は、その長手方向に沿って太幅部と細幅部とを交互に複数有することを特徴とする。
【０００８】
本発明のバッグによれば、細幅編物は横断面が半円状であることが好適である。
【０００９】
また本発明のバッグによれば、背負い式であるとともに、背負われたときに凹凸部が背負った使用者の身長の方向に配列されるものであることが好適である。
【００１０】
また本発明のバッグによれば、背負い式であるとともに、背負われたときに凹凸部が背負った使用者の身長の方向と交差する方向に配列されるものであることが好適である。
【００１１】
また本発明のバッグによれば、背負い式であるとともに、肩紐に凹凸部が形成されていることが好適である。
【発明の効果】
【００１２】
本発明のバッグによれば、使用者の身体に接する部分の表面の少なくとも一部に、ダブルラッセル編地にて構成された凹凸部が形成されており、この凹凸部のダブルラッセル編地は、細幅編物が間隔をおいて形成されたものであり、細幅編物は、その長手方向に沿って太幅部と細幅部とを交互に複数有するものであるため、身体に接したときに凹凸部のうちの凹部において身体と生地表面との間に細幅編物の長手方向の空間が形成されることになって、湿気を含んだ空気が円滑に移動できることになる。このため、使用者の蒸れ感を大幅に改善することができる。また汗ばんだ状態でも凹凸部は全面接触するような場合と比べて身体に対する接触面積が少ないことから、肌離れが良好であって身体の不快感を大幅に軽減することができる。
【００１３】
さらに凹凸部のうちの凸部としての細幅編物が、その長手方向に沿って太幅部と細幅部とを交互に複数有するため、細幅編物が一定幅である場合と比べて、その形状が複雑になって、倒れにくくなるとともに、凹部は長さ方向に沿って部分的に狭くなるだけであるため、空気の通りを確保することができる。この倒れにくくなることによる効果は、細幅編物の横断面が半円状であることによって、いっそう確実なものとなる。
【００１４】
本発明のバッグによれば、背負い式であるとともに、背負われたときに凹凸部が背負った使用者の身長の方向に配列されるものであることによって、凹凸部においては湿気を含んだ空気をいっそう良好に移動させることができるとともに、身体に対しバッグが横方向にずれようとするときに、凹凸部が抵抗となって、そのようなずれの発生を効果的に防止することができる。
【００１５】
本発明のバッグによれば、背負い式であるとともに、背負われたときに凹凸部が背負った使用者の身長の方向と交差する方向に配列されるものであることにより、身体に対しバッグが重みで上下にずれようとするときに、凹凸部が抵抗になって、そのようなずれの発生を効果的に防止することができる。
【００１６】
本発明のバッグによれば、背負い式であるとともに、肩紐に凹凸部が形成されている構成であることによって、肩紐においても上記と同様の効果を奏することができるのみならず、肩紐の作用によりバッグ側の重量が肩によって受け止められたときに、肩に凹凸部が当たることによって肩の血流を確保することができる。
【図面の簡単な説明】
【００１７】
【図１】本発明の実施の形態のバッグの立体図である。
【図２】図１のバッグにおける凹凸部の要部の模式的平面図である。
【図３】図１のバッグにおける凹凸部の要部の模式的断面図である。
【図４】本発明の他の実施の形態のバッグの立体図である。
【図５】本発明のさらに他の実施の形態のバッグの立体図である。
【図６】図５のバッグの使用状態を示す図である。
【発明を実施するための形態】
【００１８】
図１は、本発明の実施の形態にかかる背負い式のバックを示す。このバッグは、バッグ本体１１と、一対の肩紐１２とを備える。バッグ本体１１における背当ての部分と、肩紐１２における使用者の身体側の表面部とには、それぞれ凹凸部１３が形成されている。
【００１９】
凹凸部１３は、特定のダブルラッセル編地によって構成されている。図２および図３において詳細に示すように、この凹凸部１３を構成する特定のダブルラッセル編地は、一般的なダブルラッセル編物とは異なる特殊な構造となっている。詳細には、凹凸部１３を構成するダブルラッセル編地は、凹凸部１３における凸部としての、横断面が半円状の細幅編物１４が間隔をおいて複数配設された構成の表地と、平坦な編物で構成された裏地１５とが、連結糸１６で一体化されたものである。細幅編物１４は、図示のようにバッグを背負う使用者の身長の方向に、互いに間隔をおいて形成されているか、または他の任意の方向に、互いに間隔をおいて形成されている。これにともない、隣り合う細幅編物１４同士の間には、凹凸部１３における凹部としての溝１７が形成されている。
【００２０】
図２に示すように、細幅編物１４は、その長手方向に沿って、すなわち図１の例ではバッグを背負う使用者の身長の方向に、太幅部１８と細幅部１９とを交互に複数有する。その理由を説明する。凹凸部１３は、図３に示すように細幅編物１４と溝１７とが交互に形成されている。凹凸部１３を形成するときに、細幅編物１４を狭く形成するとともに溝１７を広く形成すると、細幅編物１４に負荷、たとえばバッグ本体１１からの重量が加わったときに、細幅編物１４が倒れて溝１７を塞いでしまう。すると、溝１７によって形成された空間を流れる空気によって、使用者の身体からの湿気が外部へ逃げることが、阻害されてしまう。反対に、細幅編物１４を広く形成するとともに溝１７を狭く形成すると、溝１７における空気および湿気の通りが悪くなる。これに対し、上述のように細幅編物１４が太幅部１８と細幅部１９とを交互に有することで、細幅編物１４は一定幅である場合と比べて、その形状が複雑になって、倒れにくくなるとともに、溝部１７は長さ方向に沿って部分的に狭くなるだけであるため、空気および湿気の通りを確保することができる。細幅編物１４の横断面が半円状であることで、倒れにくくなる効果がいっそう確実なものとなる。
【００２１】
凹凸部１３における表地および裏地は、一般的なマルチフィラメント糸を用いて編成される。一般的なマルチフィラメント糸の代表例としては、ポリエステルマルチフィラメント糸やその仮撚加工糸が挙げられる。マルチフィラメント糸は、５５デシテックス／２４フィラメント〜４００デシテックス／１５０フィラメントの範囲内で適宜選択されるのが好適である。連結糸１６には、剛性のあるモノフィラメント糸が用いられる。剛性のあるものが用いられる理由は、細幅編物１４を立てた状態として、溝１７を確保するためである。モノフィラメント糸としては、ポリエステルモノフィラメント糸が好ましく、特に２０〜１００デシテックス程度の繊度のものが好ましい。
【００２２】
凹凸部１３を構成するダブルラッセル編地は、公知のダブルラッセル編機を用いて編成される。ただ、糸使いが異なり、表地編成のために供給する糸を適宜の間隔で抜くとともに、この糸で編成されるべき表地を連結するための連結糸を抜くことにより、凹凸すなわち細幅編物１４と溝１７とが編成される。つまり、表地を編成するための糸および連結糸１６を供給するためのガイド列において、糸を供給しないガイド（糸抜きするガイド）を適宜の間隔で設けることにより、編成が行われる。これによって、本来ウエール方向に編成されるべき表地が編成されずに、溝１７が形成される。一方、編成された表地は、ウエール方向の両側縁が裏地１５側に巻き込まれて、横断面が半円状の細幅編物１４となる。ウエール方向の両側縁が裏地１５側に巻き込まれる理由は、連結糸１６によって両側縁が裏地１５側に引っ張られるためである。裏地１５は、糸抜きがされずに、通常と同様に編成されることにより、平坦な編物となる。
【００２３】
詳しい編成方法は、表地を編成するときにおいて、５〜１５ウエールに対して１〜３ウエールだけ、表地を編成するための糸と連結糸１６とを糸抜きすることによって、横断面が半円状である細幅編物１４が間隔をおいて配設された表地と、平坦な編物で構成された裏地１５とが、連結糸１６で一体化された、ダブルラッセル編地を得ることができる。また、裏地１５を編成するための糸として伸縮性のある仮撚加工糸を用い、編成後にコース方向に引っ張って固定すれば、細幅編物１４間に形成される溝１７の幅を拡大することができる。このような編成方法によって得られたダブルラッセル編地は、細幅編物１４の幅が２〜８ｍｍ程度となり、溝１７の幅が３〜１０ｍｍ程度となる。溝１７の深さは、１〜５ｍｍ程度となる。細幅編物１４の編成組織としては、コード組織やデンビー組織を採用することができる。裏地１５となる平坦な編物の編成組織としては、鎖編糸列を挿入糸で連結した鎖編組織を採用することができる。
【００２４】
太幅部１８と細幅部１９とは、編成時の糸の供給量を増減することにより、形成することができる。糸の供給量を増やすと太幅部１８が形成され、減らすと細幅部１９が形成される。これを繰り返すことによって、太幅部１８と細幅部１９とが交互に形成される。糸の供給量の調整は、たとえばカールマイヤー社製のエレクトロ・ビーム・コントロール方式により連結糸１６の供給量を変化させることによって行うことができる。あるいは、糸の張力を一定に保ちながら、その巻き取りや送り出しビームをコントロールするＭＳＳコントロール方式によっても、行うことができる。
【００２５】
図１に示す背負い式のバッグによれば、使用者がこのバッグを背負って凹凸部１３が身体に接したときに、凹凸部１３の溝１７において身体と生地表面との間に細幅編物１４の長手方向の空間が形成される。この空間は、図示の例では使用者の身長の方向すなわち上下方向に形成される。このため、湿気を含んだ空気が円滑に移動できることになって、使用者の蒸れ感を大幅に改善することができる。また汗ばんだ状態でも、凹凸部１３は、全面接触するような場合と比べて身体に対する接触面積が少ないことから、肌離れが良好であって身体の不快感を大幅に軽減することができる。なお、図１のバッグでは背当ての部分のほぼ全面に凹凸部１３が形成されているが、凹凸部１３は、必ずしも背当ての部分の全面に形成される必要はなく、その要部のみに形成されることもできる。
【００２６】
図１に示すバッグでは、肩紐１２にも凹凸部１３が形成されているため、この肩紐１２においても背当ての部分と同様の効果を得ることができる。そればかりか、バッグ側の重量が使用者の肩によって受け止められたときに、凹凸部１３が肩に当たることによって肩の血流を確保することができる。この血流を確保することができる効果は、肩紐１２において顕著であるが、背当ての部分の凹凸部１３によっても同様に発揮することができる。
【００２７】
凹凸部１３は、細幅編物１４の長手方向には、上述のように湿気を含んだ空気を移動させやすいとともに、身体に対する良好な滑り性を発揮することができる。かつ、細幅編物１４の長手方向と交差する方向、特に細幅編物１４の長手方向と直交する方向については、身体に対する滑り止めの効果を発揮することができる。このため、細幅編物１４の長手方向を適宜の方向とすることにより、それと交差する方向、特に直交する方向において、人体に対するずれ防止効果を発揮することができる。たとえばトレイルランニングなどの激しい上下動を伴う運動を行うときに使用するバッグでは、図４の本発明の他の実施の形態に示すように凹凸部１３を横向きにすることで、身体に対するバッグの相対的な上下動を軽減することができる。
【００２８】
図５は、本発明のさらに他の実施の形態の、ワンショルダー・タイプのバッグに凹凸部１３を形成した例を示す。図示の例では、背当ての部分の凹凸部１３は、バッグの上下方向に対して適当角度に、たとえば３０度に傾斜した方向に形成されている。
【００２９】
図６は、図５のバッグが使用者によって背負われた状態を、使用者の胸側から、使用者の身体を透かせて見た図である。肩紐１２は、使用者の胸側において、使用者の右肩から左脇腹に向けて掛けられている。図５のようにバッグの上下方向に対して適当角度に傾斜して形成された凹凸部１３は、図６のように背負われた状態においては、使用者の身長の方向に方向づけられて、上述の各機能を発揮できることになる。
【００３０】
本発明のバッグとして、背負い式以外のバッグを挙げることもできる。そのようなバッグであっても、同様に凹凸部１３を形成して、同様の効果を発揮することができる。
【符号の説明】
【００３１】
１３    凹凸部
１４    細幅編物
１７    溝
１８    太幅部
１９    細幅部
【図１】
2018057518.tif 000003
【図２】
2018057518.tif 000004
【図３】
2018057518.tif 000005
【図４】
2018057518.tif 000006
【図５】
2018057518.tif 000007
【図６】
2018057518.tif 000008